(57)【特許請求の範囲】
【請求項１】
チャネル送信装置の作動方法であって、前記チャネル送信装置は、設定モジュールと、送信モジュールとを含み、当該方法が、
前記設定モジュールが、制御チャネルの繰り返し回数と送信開始時刻、及びデータチャネルの繰り返し回数と送信開始時刻を別々に設定するステップであって、前記データチャネルの前記繰り返し回数が前記制御チャネルの前記繰り返し回数の整数倍であり、且つ前記制御チャネルの前記送信開始時刻が前記データチャネルの前記送信開始時刻よりも早い又は同じである、ステップと、
前記送信モジュールが、前記制御チャネルの前記繰り返し回数及び前記送信開始時刻に従って前記制御チャネルを送信するとともに、前記データチャネルの前記繰り返し回数及び前記送信開始時刻に従って前記データチャネルを送信するステップとを含む、方法。
【請求項２】
前記制御チャネルの前記繰り返し回数が前記データチャネルの前記繰り返し回数よりも少ないとともに、前記制御チャネルの前記送信開始時刻が前記データチャネルの前記送信開始時刻に等しく、
前記制御チャネルを送信するとともに、前記データチャネルを送信する前記ステップが、
前記制御チャネルの前記送信開始時刻に、前記制御チャネルが前記制御チャネルの事前設定された送信電力及び前記制御チャネルの前記繰り返し回数に従って送信されるとともに、前記データチャネルが前記データチャネルの事前設定された送信電力及び前記制御チャネルの前記繰り返し回数に従って送信されることを含む、請求項１に記載の方法。
【請求項３】
前記データチャネルが前記データチャネルの事前設定された送信電力及び前記制御チャネルの前記繰り返し回数に従って送信されることが、
前記制御チャネルが完全に送信された後で、前記データチャネルが前記データチャネルの残りの繰り返し回数及び前記データチャネルの前記事前設定された送信電力に従って送信され、前記データチャネルの前記残りの繰り返し回数が前記データチャネルの前記繰り返し回数と前記制御チャネルの前記繰り返し回数との間の差分値に等しいか、又は
前記制御チャネルが完全に送信された後で、前記データチャネルが前記データチャネルの残りの繰り返し回数及びユーザ装置ＵＥの事前設定された送信電力に従って送信され、前記ＵＥの前記事前設定された送信電力が前記データチャネルの前記事前設定された送信電力と前記制御チャネルの前記事前設定された送信電力との和に等しいことを含む、請求項２に記載の方法。
【請求項４】
前記制御チャネルの前記送信開始時刻が前記データチャネルの前記送信開始時刻よりも早く、
前記制御チャネルの前記繰り返し回数及び前記送信開始時刻に従って前記制御チャネルを送信するとともに、前記データチャネルの前記繰り返し回数及び前記送信開始時刻に従って前記データチャネルを送信する前記ステップが、
前記制御チャネルの前記送信開始時刻に、前記制御チャネルの事前設定された送信電力及び前記制御チャネルの前記繰り返し回数に従って前記制御チャネルを送信するステップと、
前記データチャネルの前記送信開始時刻に、前記データチャネルの事前設定された送信電力及び前記データチャネルの前記繰り返し回数に従って前記データチャネルを送信するステップとを含む、請求項１に記載の方法。
【請求項５】
前記制御チャネルの前記送信開始時刻と前記データチャネルの前記送信開始時刻との間の時間差が、前記制御チャネルの送信時間間隔（ＴＴＩ）の前記繰り返し回数以上である、請求項４に記載の方法。
【請求項６】
前記制御チャネルの前記送信開始時刻が前記データチャネルの前記送信開始時刻よりも早く、前記制御チャネルの前記送信開始時刻と前記データチャネルの前記送信開始時刻との間の時間差が、前記制御チャネルのＴＴＩの前記繰り返し回数以上であり、
前記制御チャネルの前記繰り返し回数及び前記送信開始時刻に従って前記制御チャネルを送信するとともに、前記データチャネルの前記繰り返し回数及び前記送信開始時刻に従って前記データチャネルを送信する前記ステップが、
前記制御チャネルの前記送信開始時刻に、ユーザ装置ＵＥの事前設定された送信電力及び前記制御チャネルの前記繰り返し回数に従って前記制御チャネルを送信するステップと、
前記データチャネルの前記送信開始時刻に、前記ＵＥの前記事前設定された送信電力及び前記データチャネルの前記繰り返し回数に従って前記データチャネルを送信するステップとを含む、請求項１に記載の方法。
【請求項７】
チャネル受信装置の作動方法であって、前記チャネル受信装置は、取得モジュールと、受信モジュールと、を含み、当該方法が、
前記取得モジュールが、制御チャネルの繰り返し回数と受信開始時刻、及びデータチャネルの繰り返し回数と受信開始時刻を取得するステップであって、前記データチャネルの前記繰り返し回数が前記制御チャネルの前記繰り返し回数の整数倍であり、且つ前記制御チャネルの前記受信開始時刻が前記データチャネルの前記受信開始時刻よりも早い又は同じである、ステップと、
前記受信モジュールが、前記制御チャネルの前記繰り返し回数及び前記受信開始時刻に従って前記制御チャネルを受信するとともに、前記データチャネルの前記繰り返し回数及び前記受信開始時刻に従って前記データチャネルを受信するステップとを含む、方法。
【請求項８】
前記制御チャネルの前記受信開始時刻と前記データチャネルの前記受信開始時刻との間の時間差が、前記制御チャネルのＴＴＩの前記繰り返し回数以上である、請求項７に記載の方法。
【請求項９】
チャネル送信装置であって、当該装置が、
制御チャネルの繰り返し回数と送信開始時刻、及びデータチャネルの繰り返し回数と送信開始時刻を別々に設定するように構成される設定モジュールであって、前記データチャネルの前記繰り返し回数が前記制御チャネルの前記繰り返し回数の整数倍であり、且つ前記制御チャネルの前記送信開始時刻が前記データチャネルの前記送信開始時刻よりも早い又は同じである、設定モジュールと、
前記制御チャネルの前記繰り返し回数及び前記送信開始時刻に従って前記制御チャネルを送信するとともに、前記データチャネルの前記繰り返し回数及び前記送信開始時刻に従って前記データチャネルを送信するように構成される送信モジュールとを備える、装置。
【請求項１０】
前記制御チャネルの前記繰り返し回数が前記データチャネルの前記繰り返し回数よりも少ないとともに、前記制御チャネルの前記送信開始時刻が前記データチャネルの前記送信開始時刻に等しく、
前記設定モジュールが、前記制御チャネルの前記送信開始時刻に、前記制御チャネルの事前設定された送信電力及び前記制御チャネルの前記繰り返し回数に従って前記制御チャネルを送信するとともに、前記データチャネルの事前設定された送信電力及び前記制御チャネルの前記繰り返し回数に従って前記データチャネルを送信するように構成される、請求項９に記載の装置。
【請求項１１】
前記設定モジュールが、前記制御チャネルを完全に送信した後で、前記データチャネルの残りの繰り返し回数及び前記データチャネルの前記事前設定された送信電力に従って前記データチャネルを送信し、前記データチャネルの前記残りの繰り返し回数が前記データチャネルの前記繰り返し回数と前記制御チャネルの前記繰り返し回数との間の差分値に等しいか、又は前記制御チャネルを完全に送信した後で、前記データチャネルの残りの繰り返し回数及びユーザ装置ＵＥの事前設定された送信電力に従って前記データチャネルを送信し、前記ＵＥの前記事前設定された送信電力が前記データチャネルの前記事前設定された送信電力と前記制御チャネルの前記事前設定された送信電力との和に等しい、ように更に構成される、請求項１０に記載の装置。
【請求項１２】
前記制御チャネルの前記送信開始時刻が前記データチャネルの前記送信開始時刻よりも早く、
前記送信モジュールが、前記制御チャネルの前記送信開始時刻に、前記制御チャネルの事前設定された送信電力及び前記制御チャネルの前記繰り返し回数に従って前記制御チャネルを送信するとともに、前記データチャネルの前記送信開始時刻に、前記データチャネルの事前設定された送信電力及び前記データチャネルの前記繰り返し回数に従って前記データチャネルを送信するように構成される、請求項９に記載の装置。
【請求項１３】
前記制御チャネルの前記送信開始時刻と前記データチャネルの前記送信開始時刻との間の時間差が、前記制御チャネルの送信時間間隔ＴＴＩの前記繰り返し回数以上である、請求項１２に記載の装置。
【請求項１４】
前記制御チャネルの前記送信開始時刻が前記データチャネルの前記送信開始時刻よりも早く、前記制御チャネルの前記送信開始時刻と前記データチャネルの前記送信開始時刻との間の時間差が、前記制御チャネルの送信時間間隔ＴＴＩの前記繰り返し回数以上であり、
前記送信モジュールが、前記制御チャネルの前記送信開始時刻に、ユーザ装置ＵＥの事前設定された送信電力及び前記制御チャネルの前記繰り返し回数に従って前記制御チャネルを送信するとともに、前記データチャネルの前記送信開始時刻に、前記ＵＥの前記事前設定された送信電力及び前記データチャネルの前記繰り返し回数に従って前記データチャネルを送信するように構成される、請求項９に記載の装置。
【請求項１５】
チャネル受信装置であって、当該装置が、
制御チャネルの繰り返し回数と受信開始時刻、及びデータチャネルの繰り返し回数と受信開始時刻を取得するように構成される取得モジュールであって、前記データチャネルの前記繰り返し回数が前記制御チャネルの前記繰り返し回数の整数倍であり、且つ前記制御チャネルの前記受信開始時刻が前記データチャネルの前記受信開始時刻よりも早い又は同じである、取得モジュールと、
前記制御チャネルの前記繰り返し回数及び前記受信開始時刻に従って前記制御チャネルを受信するとともに、前記データチャネルの前記繰り返し回数及び前記受信開始時刻に従って前記データチャネルを受信するように構成される受信モジュールとを備える、装置。
【請求項１６】
前記制御チャネルの前記受信開始時刻と前記データチャネルの前記受信開始時刻との間の時間差が、前記制御チャネルの送信時間間隔ＴＴＩの前記繰り返し回数以上である、請求項１５に記載の装置。
【請求項１７】
コンピュータユニットにより実行される場合に、前記コンピュータユニットに請求項１から請求項８のいずれか一項に記載のステップを実行させることになるコンピュータプログラムコードを含む、コンピュータプログラム。
【発明の詳細な説明】
【技術分野】
【０００１】
本発明は、通信分野に関し、特に、チャネル送信方法及び装置、並びにチャネル受信方法及び装置に関する。
【背景技術】
【０００２】
小規模データ伝送（small  data  transmission、ＳＤＴ）のプロジェクトがＲ１３において成功裏に確立された。このプロジェクトの重要な課題の１つは、超長距離のカバレッジを提供することである。カバレッジを向上させるための比較的直観的な方法は、送信端が再送信を実行し、受信端が信号を結合して、カバレッジに関する要件を増強させることである。
【０００３】
現在、再送方法において、データチャネルと制御チャネルは、同じ繰り返し回数に従って同時に送信される。しかしながら、実際には、データチャネルのカバレッジ要件が制御チャネルのカバレッジ要件と異なり、同じ繰り返し回数に従って２つのチャネルを送信すると、送信電力が浪費され、データ復調の遅れが生じるおそれがある。
【発明の概要】
【０００４】
送信電力を節約し、データチャネルの復調の遅れの問題を解決するとともに、データチャネルと制御チャネルの繰り返し回数を柔軟に設定するために、本発明の実施例は、チャネル送信方法及び装置、並びにチャネル受信方法及び装置を提供する。技術的解決法は下記のとおりである。
【０００５】
第１の態様によれば、チャネル送信方法が提供され、当該方法は、制御チャネルの繰り返し回数と送信開始時刻、及びデータチャネルの繰り返し回数と送信開始時刻を別々に設定するステップであって、前記制御チャネルの前記繰り返し回数が前記データチャネルの前記繰り返し回数よりも少ないか、又は前記制御チャネルの前記送信開始時刻が前記データチャネルの前記送信開始時刻よりも早い、ステップと、前記制御チャネルの前記繰り返し回数及び前記送信開始時刻に従って前記制御チャネルを送信するとともに、前記データチャネルの前記繰り返し回数及び前記送信開始時刻に従って前記データチャネルを送信するステップとを含む。
【０００６】
第１の態様に関連して、第１の態様の第１の可能な実施方法において、前記制御チャネルの前記繰り返し回数は前記データチャネルの前記繰り返し回数よりも少ないとともに、前記制御チャネルの前記送信開始時刻は前記データチャネルの前記送信開始時刻に等しく、前記制御チャネルの前記送信開始時刻に、前記制御チャネルは前記制御チャネルの事前設定された送信電力及び前記制御チャネルの前記繰り返し回数に従って送信されるとともに、前記データチャネルは前記データチャネルの事前設定された送信電力及び前記制御チャネルの前記繰り返し回数に従って送信される。
【０００７】
第１の態様の第１の可能な実施方法に関連して、第１の態様の第２の可能な実施方法において、前記制御チャネルが完全に送信された後で、前記データチャネルは前記データチャネルの残りの繰り返し回数及び前記データチャネルの前記事前設定された送信電力に従って送信され、前記データチャネルの前記残りの繰り返し回数は前記データチャネルの前記繰り返し回数と前記制御チャネルの前記繰り返し回数との間の差分値に等しいか、又は前記制御チャネルが完全に送信された後で、前記データチャネルは前記データチャネルの残りの繰り返し回数及びユーザ装置ＵＥの事前設定された送信電力に従って送信され、前記ＵＥの前記事前設定された送信電力は前記データチャネルの前記事前設定された送信電力と前記制御チャネルの前記事前設定された送信電力との和に等しい。
【０００８】
第１の態様に関連して、第１の態様の第３の可能な実施方法において、前記制御チャネルの前記送信開始時刻は前記データチャネルの前記送信開始時刻よりも早く、前記制御チャネルの前記繰り返し回数及び前記送信開始時刻に従って前記制御チャネルを送信するとともに、前記データチャネルの前記繰り返し回数及び前記送信開始時刻に従って前記データチャネルを送信する前記ステップは、前記制御チャネルの前記送信開始時刻に、前記制御チャネルの事前設定された送信電力及び前記制御チャネルの前記繰り返し回数に従って前記制御チャネルを送信するステップと、前記データチャネルの前記送信開始時刻に、前記データチャネルの事前設定された送信電力及び前記データチャネルの前記繰り返し回数に従って前記データチャネルを送信するステップとを含む。
【０００９】
第１の態様の第３の可能な実施方法に関連して、第１の態様の第４の可能な実施方法において、前記制御チャネルの前記送信開始時刻と前記データチャネルの前記送信開始時刻との間の時間差は、前記制御チャネルの送信時間間隔ＴＴＩの前記繰り返し回数以上である。
【００１０】
第１の態様に関連して、第１の態様の第５の可能な実施方法において、前記制御チャネルの前記送信開始時刻は前記データチャネルの前記送信開始時刻よりも早く、前記制御チャネルの前記送信開始時刻と前記データチャネルの前記送信開始時刻との間の時間差は、前記制御チャネルの送信時間間隔ＴＴＩの前記繰り返し回数以上であり、前記制御チャネルの前記繰り返し回数及び前記送信開始時刻に従って前記制御チャネルを送信するとともに、前記データチャネルの前記繰り返し回数及び前記送信開始時刻に従って前記データチャネルを送信する前記ステップは、前記制御チャネルの前記送信開始時刻に、ユーザ装置ＵＥの事前設定された送信電力及び前記制御チャネルの前記繰り返し回数に従って前記制御チャネルを送信するステップと、前記データチャネルの前記送信開始時刻に、前記ＵＥの前記事前設定された送信電力及び前記データチャネルの前記繰り返し回数に従って前記データチャネルを送信するステップとを含む。
【００１１】
第２の態様によれば、チャネル受信方法が提供され、当該方法は、受信端により、制御チャネルの繰り返し回数と受信開始時刻、及びデータチャネルの繰り返し回数と受信開始時刻を取得するステップであって、前記制御チャネルの前記繰り返し回数が前記データチャネルの前記繰り返し回数よりも少ないか、又は前記制御チャネルの前記受信開始時刻が前記データチャネルの前記受信開始時刻よりも早い、ステップと、前記制御チャネルの前記繰り返し回数及び前記受信開始時刻に従って前記制御チャネルを受信するとともに、前記データチャネルの前記繰り返し回数及び前記受信開始時刻に従って前記データチャネルを受信するステップとを含む。
【００１２】
第２の態様に関連して、第２の態様の第１の可能な実施方法において、前記制御チャネルの前記受信開始時刻と前記データチャネルの前記受信開始時刻との間の時間差は、前記制御チャネルの送信時間間隔ＴＴＩの前記繰り返し回数以上である。
【００１３】
第３の態様によれば、チャネル送信装置が提供され、当該装置は、制御チャネルの繰り返し回数と送信開始時刻、及びデータチャネルの繰り返し回数と送信開始時刻を別々に設定するように構成される設定モジュールであって、前記制御チャネルの前記繰り返し回数が前記データチャネルの前記繰り返し回数よりも少ないか、又は前記制御チャネルの前記送信開始時刻が前記データチャネルの前記送信開始時刻よりも早い、設定モジュールと、前記制御チャネルの前記繰り返し回数及び前記送信開始時刻に従って前記制御チャネルを送信するとともに、前記データチャネルの前記繰り返し回数及び前記送信開始時刻に従って前記データチャネルを送信するように構成される送信モジュールとを含む。
【００１４】
第３の態様に関連して、第３の態様の第１の可能な実施方法において、前記制御チャネルの前記繰り返し回数は前記データチャネルの前記繰り返し回数よりも少ないとともに、前記制御チャネルの前記送信開始時刻は前記データチャネルの前記送信開始時刻に等しく、前記設定モジュールは、前記制御チャネルの前記送信開始時刻に、前記制御チャネルの事前設定された送信電力及び前記制御チャネルの前記繰り返し回数に従って前記制御チャネルを送信するとともに、前記データチャネルの事前設定された送信電力及び前記制御チャネルの前記繰り返し回数に従って前記データチャネルを送信するように構成される。
【００１５】
第３の態様の第１の可能な実施方法に関連して、第３の態様の第２の可能な実施方法において、前記設定モジュールは、前記制御チャネルを完全に送信した後で、前記データチャネルの残りの繰り返し回数及び前記データチャネルの前記事前設定された送信電力に従って前記データチャネルを送信し、前記データチャネルの前記残りの繰り返し回数が前記データチャネルの前記繰り返し回数と前記制御チャネルの前記繰り返し回数との間の差分値に等しいか、又は前記制御チャネルを完全に送信した後で、前記データチャネルの残りの繰り返し回数及びユーザ装置ＵＥの事前設定された送信電力に従って前記データチャネルを送信し、前記ＵＥの前記事前設定された送信電力が前記データチャネルの前記事前設定された送信電力と前記制御チャネルの前記事前設定された送信電力との和に等しい、ように更に構成される。
【００１６】
第３の態様に関連して、第３の態様の第３の可能な実施方法において、前記制御チャネルの前記送信開始時刻が前記データチャネルの前記送信開始時刻よりも早く、前記送信モジュールは、前記制御チャネルの前記送信開始時刻に、前記制御チャネルの事前設定された送信電力及び前記制御チャネルの前記繰り返し回数に従って前記制御チャネルを送信するとともに、前記データチャネルの前記送信開始時刻に、前記データチャネルの事前設定された送信電力及び前記データチャネルの前記繰り返し回数に従って前記データチャネルを送信するように構成される。
【００１７】
第３の態様の第３の可能な実施方法に関連して、第３の態様の第４の可能な実施方法において、前記制御チャネルの前記送信開始時刻と前記データチャネルの前記送信開始時刻との間の時間差は、前記制御チャネルの送信時間間隔ＴＴＩの前記繰り返し回数以上である。
【００１８】
第３の態様に関連して、第３の態様の第５の可能な実施方法において、前記制御チャネルの前記送信開始時刻は前記データチャネルの前記送信開始時刻よりも早く、前記制御チャネルの前記送信開始時刻と前記データチャネルの前記送信開始時刻との間の時間差は、前記制御チャネルの送信時間間隔ＴＴＩの前記繰り返し回数以上であり、前記送信モジュールは、前記制御チャネルの前記送信開始時刻に、ユーザ装置ＵＥの事前設定された送信電力及び前記制御チャネルの前記繰り返し回数に従って前記制御チャネルを送信するとともに、前記データチャネルの前記送信開始時刻に、前記ＵＥの前記事前設定された送信電力及び前記データチャネルの前記繰り返し回数に従って前記データチャネルを送信するように構成される。
【００１９】
第４の態様によれば、チャネル受信装置が提供され、当該装置は、制御チャネルの繰り返し回数と受信開始時刻、及びデータチャネルの繰り返し回数と受信開始時刻を取得するように構成される取得モジュールであって、前記制御チャネルの前記繰り返し回数が前記データチャネルの前記繰り返し回数よりも少ないか、又は前記制御チャネルの前記受信開始時刻が前記データチャネルの前記受信開始時刻よりも早い、取得モジュールと、前記制御チャネルの前記繰り返し回数及び前記受信開始時刻に従って前記制御チャネルを受信するとともに、前記データチャネルの前記繰り返し回数及び前記受信開始時刻に従って前記データチャネルを受信するように構成される受信モジュールとを備える。
【００２０】
第４の態様に関連して、第４の態様の第１の可能な実施方法において、前記制御チャネルの前記受信開始時刻と前記データチャネルの前記受信開始時刻との間の時間差は、前記制御チャネルの送信時間間隔ＴＴＩの前記繰り返し回数以上である。
【００２１】
本発明の実施例では、制御チャネルの繰り返し回数がデータチャネルの繰り返し回数よりも少ないか、又は制御チャネルの送信開始時刻がデータチャネルの送信開始時刻に等しいので、データチャネルが完全に送信される前に制御チャネルが完全に送信されることができ、受信端は、最初に制御チャネルの受信を完了し、そして最初に制御チャネルを復調することができる。データチャネルが復調されるときに制御情報は復調によって既に取得されており、制御チャネルの復調を待つ必要がなく、データチャネルの復調が直接的に実行され、それにより、データチャネル復調の遅延の問題を解決する。さらに、制御チャネル及びデータチャネルが異なる繰り返し回数に従って送信され、それにより、２つのチャネルのカバレッジ要件が異なる場合に送信電力を節約する。
【００２２】
本発明の実施例における技術的解決法をより明確に説明するために、下記は、実施例を説明するために必要とされる添付図面を簡単に説明する。明らかに、下記の説明における添付図面は本発明の単にいくつかの実施例を表すとともに、当業者は、創造的な努力なしでこれらの添付図面から更に他の図面を導き出し得る。
【図面の簡単な説明】
【００２３】
【図１】本発明の実施例１によるチャンネル送信方法のフローチャートである。
【図２−１】本発明の実施例２によるチャンネル送信方法のフローチャートである。
【図２−２】本発明の実施例２によるチャネル送信処理の第１の概略図である。
【図２−３】本発明の実施例２によるチャネル送信処理の第２の概略図である。
【図３−１】本発明の実施例３によるチャンネル送信方法のフローチャートである。
【図３−２】本発明の実施例３によるチャネル送信処理の第１の概略図である。
【図３−３】本発明の実施例３によるチャネル送信処理の第２の概略図である。
【図４−１】本発明の実施例４によるチャンネル送信方法のフローチャートである。
【図４−２】本発明の実施例４によるチャネル送信処理の概略図である。
【図５】本発明の実施例５によるチャンネル受信方法のフローチャートである。
【図６】本発明の実施例６によるチャネル送信装置の概略構成図である。
【図７】本発明の実施例７によるチャネル受信装置の概略構成図である。
【図８】本発明の実施例８による送信端の概略構成図である。
【図９】本発明の実施例９による受信端の概略構成図である。
【発明を実施するための形態】
【００２４】
本発明の目的、技術的解決法及び利点を、より明確にするために、下記は、添付図面を参照して、さらに本発明の実施例を詳細に説明する。
【００２５】
実施例１
図１を参照すると、本発明のこの実施例は、下記のステップを含むチャネル送信方法を提供する。
【００２６】
ステップ１０１：制御チャネルの繰り返し回数と送信開始時刻、及びデータチャネルの繰り返し回数と送信開始時刻を別々に設定し、ここで、制御チャネルの繰り返し回数はデータチャネルの繰り返し回数よりも少ないか、又は制御チャネルの送信開始時刻はデータチャネルの送信開始時刻よりも早い。
【００２７】
ステップ１０２：制御チャネルの繰り返し回数及び送信開始時刻に従って制御チャネルを送信するとともに、データチャネルの繰り返し回数及び送信開始時刻に従ってデータチャネルを送信する。
【００２８】
本発明のこの実施例では、制御チャネルの繰り返し回数がデータチャネルの繰り返し回数よりも少ないか、又は制御チャネルの送信開始時刻がデータチャネルの送信開始時刻に等しいので、データチャネルが完全に送信される前に制御チャネルが完全に送信されることができ、受信端は、最初に制御チャネルの受信を完了し、そして最初に制御チャネルを復調することができる。データチャネルが復調されるときに制御情報は復調によって既に取得されており、制御チャネルの復調を待つ必要がなく、データチャネルの復調が直接的に実行され、それにより、データチャネル復調の遅延の問題を解決する。さらに、制御チャネル及びデータチャネルが異なる繰り返し回数に従って送信され、それにより、２つのチャネルのカバレッジ要件が異なる場合に送信電力を節約する。
【００２９】
実施例２
本発明のこの実施例は、チャネル送信方法を提供する。本発明のこの実施例では、制御チャネルとデータチャネルとが同時に送信されることができるが、しかし、制御チャネルの繰り返し回数はデータチャネルの繰り返し回数よりも少ない。図２−１を参照すると、この方法は、下記のステップを含む。
【００３０】
ステップ２０１：送信端が、制御チャネルの繰り返し回数と送信開始時刻、及びデータチャネルの繰り返し回数と送信開始時刻を別々に設定し、ここで、制御チャネルの繰り返し回数はデータチャネルの繰り返し回数よりも少ないか、又は制御チャネルの送信開始時刻はデータチャネルの送信開始時刻に等しい。
【００３１】
データチャネルは、送信端によって送信される必要があるデータを搬送するために使用され、制御チャネルは、データチャネルを復調するために必要な制御情報を搬送するために使用される。カバレッジを向上させるために、送信側は制御チャネル及びデータチャネルを何回も受信側に繰り返し送信する必要がある。制御チャネルとデータチャネルのカバレッジ要件が異なるので、できるだけ早く制御情報を得るために、一般に、このステップでは、データチャネルの繰り返し回数よりも少ない制御チャネルの繰り返し回数を設定してもよいが、しかし、このステップは、制御チャネルの繰り返し回数がデータチャネルの繰り返し回数よりも少ないことに限定されない。
【００３２】
このステップが実行される前に、送信端と受信端は、制御チャネルの繰り返し回数とデータチャネルの繰り返し回数について予め合意していてもよい。したがって、このステップでは、受信端は、送信端と合意された制御チャネルの繰り返し回数及びデータチャネルの繰り返し回数を直接的に取得することができる。
【００３３】
legacyタイミングは、制御チャネル及びデータチャネルの送信開始時刻に関して引き続き使用される。アップリンクを一例として使用すると、制御チャネルとデータチャネルの送信開始時刻は、ダウンリンクＤＰＣＣＨの後の１０２４chipsである。
【００３４】
ステップ２０２：制御チャネルの送信開始時刻に、送信端が、制御チャネルの事前設定された送信電力及び制御チャネルの繰り返し回数に従って制御チャネルを送信するとともに、データチャネルの事前設定された送信電力及び制御チャネルの繰り返し回数に従ってデータチャネルを送信する。
【００３５】
制御チャネルの事前設定された送信電力とデータチャネルの事前設定された送信電力との合計は、ＵＥ（User  equipment、ユーザ装置）の事前設定された送信電力に等しい。ＵＥの事前設定された送信電力は、制御チャネル及びデータチャネルを送信するために使用されるとともに、送信端で事前に定義される合計電力である。
【００３６】
送信端は、１つのＴＴＩ（Transmission  Time  Interval、送信時間間隔）内で制御チャネル及びデータチャネルを１回送信する。制御チャネルの送信開始時刻がデータチャネルの送信開始時刻と同じであるので、送信端は、制御チャネルの繰り返し回数のＴＴＩ内で制御チャネル及びデータチャネルを同時に送信する。
【００３７】
例えば、ＵＥの事前設定された送信電力は５であり、制御チャネルの事前設定された送信電力は２であり、データチャネルの事前設定された送信電力は３である、
と仮定される。ステップ２０１において、それぞれ、制御チャネルの繰り返し回数及び送信開始時刻は４及びｔと設定され、データチャネルの繰り返し回数及び送信開始時刻は８及びｔと設定される。図２−２を参照すると、送信開始時刻ｔにおいて、制御チャネルの事前設定された送信電力２、及び制御チャネルの繰り返し回数４に従って、制御チャネルは４つのＴＴＩ内で別々に送信され、データチャネルの事前設定された送信電力３、及び制御チャネルの繰り返し回数４に従って、データチャネルは４つのＴＴＩ内で別々に送信される。
【００３８】
ステップ２０３：制御チャネルを完全に送信した後で、送信端が、ＵＥの事前設定された送信電力及びデータチャネルの残りの繰り返し回数に従ってデータチャネルを送信し、ここで、データチャネルの残りの繰り返し回数は、データチャネルの繰り返し回数と制御チャネルの繰り返し回数との間の差分値である。
【００３９】
制御チャネルの繰り返し回数がデータチャネルの繰り返し回数よりも少ないので、データチャネルの送信が完了する前に制御チャネルが完全に送信される。制御チャネルが完全に送信された後で、データチャネルは、制御チャネルの事前設定された送信電力に従って送信されてもよく、すなわち、データチャネルがＵＥの事前設定された送信電力に従って送信されることができ、データチャネルの送信電力を増加させ、その結果データチャネルの繰り返し回数を削減し、送信電力を節約する効果を得ることができる。
【００４０】
例えば、制御チャネルの繰り返し回数は４であり、データチャネルの繰り返し回数は８であり、したがって、データチャネルの残りの繰り返し回数は４である。図２−２を参照すると、制御チャネルを完全に送信した後で、送信端は、データチャネルの残りの繰り返し回数、及びＵＥの事前設定された送信電力５に従って、４つのＴＴＩ内で別々にデータチャネルを送信する。
【００４１】
さらに、この実施例では、制御チャネルを完全に送信した後で、送信端は、同様に、データチャネルの事前設定された送信電力、及びデータチャネルの残りの繰り返し回数に従って、データチャネルを送信し続けることができる。例えば、図２−３を参照すると、制御チャネルを完全に送信した後で、送信端は、同様に、データチャネルの事前設定された送信電力３、及びデータチャネルの残りの繰り返し回数４に従って、データチャネルを送信し続ける。
【００４２】
ステップ２０４：受信端が、制御チャネルの繰り返し回数と受信開始時刻、及びデータチャネルの繰り返し回数と受信開始時刻を取得し、ここで、制御チャネルの繰り返し回数はデータチャネルの繰り返し回数よりも少ないか、又は制御チャネルの受信開始時刻はデータチャンネルの受信開始時刻に等しい。
【００４３】
送信端と受信端は、制御チャネルの繰り返し回数とデータチャネルの繰り返し回数について予め合意していてもよい。したがって、受信端は、送信端と行われた合意に従って、制御チャネルの繰り返し回数及びデータチャネルの繰り返し回数を取得することができる。
【００４４】
legacyタイミングは、制御チャネル及びデータチャネルの受信開始時刻に関して引き続き使用される。アップリンクを一例として使用すると、受信端は、アップリンクの送信開始時刻を制御チャネルの受信開始時刻として使用するか、又はネットワーク同期後の受信状態にあり、制御チャネル及びデータチャネルを絶えず受信し得る。
【００４５】
ステップ２０５：受信端が、制御チャネルの繰り返し回数及び送信開始時刻に従って制御チャネルを受信するとともに、データチャネルの繰り返し回数及び送信開始時刻に従ってデータチャネルを受信する。
【００４６】
データチャネルの送信が完了する前に制御チャネルが完全に送信されるので、受信端はまず制御チャネルを復調して、制御チャネルの制御情報を取得することができる。この場合、データチャネルが復調されたときに、制御チャネルで搬送された制御情報が復調により既に得られており、その結果、制御情報を待つ必要はなく、データチャネルを直接的に復調することができ、それによりデータチャネル復調の遅延の問題を解決する。
【００４７】
本発明のこの実施例では、制御チャネルの繰り返し回数がデータチャネルの繰り返し回数よりも少ないとともに、制御チャネルの送信開始時刻がデータチャネルの送信開始時刻に等しいので、データチャネルが完全に送信される前に制御チャネルが完全に送信されることができ、受信端は、最初に制御チャネルの受信を完了し、そして最初に制御チャネルを復調することができる。データチャネルが復調されるときに制御情報は復調によって既に取得されており、制御チャネルの復調を待つ必要がなく、データチャネルの復調が直接的に実行され、それにより、データチャネル復調の遅延の問題を解決する。さらに、制御チャネルが完全に送信された後で、ＵＥの事前設定された送信電力に従ってデータチャネルが送信され、その結果データチャネルの繰り返し回数を削減し、それにより送信電力を削減する。
【００４８】
実施例３
本発明のこの実施例は、チャネル送信方法を提供する。本発明のこの実施例では、データチャネルが送信される前に制御チャネルが送信され、制御チャネル及びデータチャネルは、ＵＥの事前設定された送信電力に従って別々に送信されてもよい。図３−１を参照すると、この方法は、下記のステップを含む。
【００４９】
ステップ３０１：送信端が、制御チャネルの繰り返し回数と送信開始時刻、及びデータチャネルの繰り返し回数と送信開始時刻を別々に設定し、ここで、制御チャネルの送信開始時刻はデータチャネルの送信開始時刻よりも早く、制御チャネルの送信開始時刻とデータチャネルの送信開始時刻との間の時間差は、制御チャネルの繰り返し回数のＴＴＩ以上である。
【００５０】
データチャネルは、送信端によって送信される必要があるデータを搬送するために使用され、制御チャネルは、データチャネルを復調するために必要な制御情報を搬送するために使用される。カバレッジを向上させるために、送信側は制御チャネル及びデータチャネルを何回も受信側に繰り返し送信する必要がある。制御チャネルとデータチャネルのカバレッジ要件が異なるので、できるだけ早く制御情報を得るために、一般に、このステップでは、データチャネルの繰り返し回数よりも少ない制御チャネルの繰り返し回数を設定してもよいが、しかし、このステップは、制御チャネルの繰り返し回数がデータチャネルの繰り返し回数よりも少ないことに限定されない。
【００５１】
このステップが実行される前に、送信端と受信端は、制御チャネルの繰り返し回数とデータチャネルの繰り返し回数について予め合意していてもよいとともに、制御チャネルの送信開始時刻とデータチャネルの送信開始時刻との間の事前設定されたＴＴＩの数について合意していてもよく、ここで、事前設定されたＴＴＩの数は、制御チャネルの繰り返し回数以上である。
【００５２】
このステップでは、送信端は、受信端と予め合意された制御チャネルの繰り返し回数及びデータチャネルの繰り返し回数を直接的に取得することができる。legacyタイミングは、制御チャネルの送信開始時刻に関して引き続き使用される。アップリンクを一例として使用すると、制御チャネルの送信開始時刻は、ダウンリンクＤＰＣＣＨの後の１０２４chipsである。データチャネルの送信開始時刻は、事前設定されたＴＴＩの数と制御チャネルの送信開始時刻とに従って算出される。
【００５３】
ステップ３０２：送信端が、制御チャネルの送信開始時刻に、ＵＥの事前設定された送信電力及び制御チャネルの繰り返し回数に従って制御チャネルを送信する。
【００５４】
ＵＥの事前設定された送信電力は、制御チャネル及びデータチャネルを送信するために使用されるとともに、送信端で事前に定義される合計電力である。制御チャネル及びデータチャネルは、１つのＴＴＩ内で送信端によって１回送信される。このステップでは、送信端は、ＵＥの事前設定された送信電力に従って、制御チャネルの繰り返し回数のＴＴＩ内で、制御チャネルを受信端に別々に送信する。
【００５５】
例えば、ＵＥの事前設定された送信電力は５であり、ステップ３０１において、それぞれ、制御チャネルの繰り返し回数が２、送信開始時刻がｔ１に設定されるとともに、それぞれ、データチャネルの繰り返し回数が６、送信開始時刻がｔ２に設定される、と仮定される。この場合、送信開始時刻ｔ２と送信開始時刻ｔ１との時間差は、２つのＴＴＩ以上である。図３−２を参照すると、送信開始時刻ｔ２と送信開始時刻ｔ１との時間差が２つのＴＴＩに等しい場合、送信開始時刻ｔ１において、制御チャネルは、ＵＥの事前設定された送信電力５、及び制御チャネルの繰り返し回数２に従って、２つのＴＴＩ内で別々に送信される。あるいは、図３−２を参照すると、送信開始時刻ｔ２と送信開始時刻ｔ１との時間差が２つのＴＴＩよりも大きい場合、送信開始時刻ｔ１において、制御チャネルは、ＵＥの事前設定された送信電力５、及び制御チャネルの繰り返し回数２に従って、２つのＴＴＩ内で別々に送信される。
【００５６】
ステップ３０３：送信端が、データチャネルの送信開始時刻に、データチャネルの繰り返し回数及びデータチャネルの事前設定された送信電力に従ってデータチャネルを送信する。
【００５７】
例えば、データチャネルの繰り返し回数は６であり、図３−２及び図３−３を参照すると、データチャネルの送信開始時刻がｔ２である場合、データチャネルは、データチャネルの繰り返し回数６、及びＵＥの事前設定された送信電力５に従って、６つのＴＴＩ内で別々に送信される。
【００５８】
ステップ３０４：受信端が、制御チャネルの繰り返し回数と受信開始時刻、及びデータチャネルの繰り返し回数と受信開始時刻を取得し、ここで、制御チャネルの繰り返し回数はデータチャネルの繰り返し回数よりも少ないか、又は制御チャネルの受信開始時刻はデータチャンネルの受信開始時刻に等しい。
【００５９】
送信端と受信端は、制御チャネルの繰り返し回数とデータチャネルの繰り返し回数について予め合意していてもよい。したがって、受信端は、送信端と行われた合意に従って、制御チャネルの繰り返し回数及びデータチャネルの繰り返し回数を取得することができる。
【００６０】
legacyタイミングは、制御チャネルの受信開始時刻に関して引き続き使用される。アップリンクを一例として使用すると、受信端は、アップリンクの送信開始時刻を制御チャネルの受信開始時刻として使用するとともに、事前設定されたＴＴＩの数と制御チャネルの送信開始時刻とに従ってデータチャネルの送信開始時刻を算出するか、又は依然として受信状態にあり、制御チャネル及びデータチャネルをいつでも受信することができる。
【００６１】
ステップ３０５：受信端が、制御チャネルの繰り返し回数及び送信開始時刻に従って制御チャネルを受信するとともに、データチャネルの繰り返し回数及び送信開始時刻に従ってデータチャネルを受信する。
【００６２】
制御チャネルの送信開始時刻はデータチャネルの送信開始時刻よりも早く、制御チャネルの送信開始時刻とデータチャネルの送信開始時刻との間の時間差は、制御チャネルの繰り返し回数のＴＴＩ以上であるので、データチャネルが送信される前に制御チャネルが送信されるとともに、データチャネルは、制御チャネルが完全に送信された後で送信される。この方法では、受信端は、まず、制御チャネルで搬送される制御情報を取得するために制御チャネルを復調し、その結果、データチャネルが復調されたときに、制御チャネルで搬送された制御情報が復調により既に得られており、それにより、データチャネル復調の遅延の問題を解決する。
【００６３】
本発明のこの実施例では、制御チャネルの繰り返し回数がデータチャネルの繰り返し回数よりも少ないとともに、制御チャネルの送信開始時刻がデータチャネルの送信開始時刻よりも早いでの、送信電力の一部が節約され、データチャネルが完全に送信される前に制御チャネルが完全に送信されることができ、受信端は、最初に制御チャネルの受信を完了し、そして最初に制御チャネルを復調することができる。データチャネルが復調されるときに制御情報は復調によって既に取得されており、制御チャネルの復調を待つ必要がなく、データチャネルの復調が直接的に実行され、それにより、データチャネル復調の遅延の問題を解決する。
【００６４】
実施例４
本発明のこの実施例は、チャネル送信方法を提供する。本発明のこの実施例では、データチャネルが送信される前に制御チャネルが送信され、制御チャネルは制御チャネルの事前設定された送信電力に従って送信されるとともに、データチャネルはデータチャネルの事前設定された送信電力に従って送信される。制御チャネルの事前設定された送信電力とデータチャネルの事前設定された送信電力との合計は、事前設定された送信電力に等しい。図４−１を参照すると、この方法は、下記のステップを含む。
【００６５】
ステップ４０１：送信端が、制御チャネルの繰り返し回数と送信開始時刻、及びデータチャネルの繰り返し回数と送信開始時刻を別々に設定し、ここで、制御チャネルの送信開始時刻はデータチャネルの送信開始時刻よりも早く、制御チャネルの送信開始時刻とデータチャネルの送信開始時刻との間の時間差は、制御チャネルの繰り返し回数のＴＴＩ以上である。
【００６６】
データチャネルは、送信端によって送信される必要があるデータを搬送するために使用され、制御チャネルは、データチャネルを復調するために必要な制御情報を搬送するために使用される。カバレッジを向上させるために、送信側は制御チャネル及びデータチャネルを何回も受信側に繰り返し送信する必要がある。制御チャネルとデータチャネルのカバレッジ要件が異なるので、できるだけ早く制御情報を得るために、一般に、このステップでは、データチャネルの繰り返し回数よりも少ない制御チャネルの繰り返し回数を設定してもよいが、しかし、このステップは、制御チャネルの繰り返し回数がデータチャネルの繰り返し回数よりも少ないことに限定されない。
【００６７】
このステップが実行される前に、送信端と受信端は、制御チャネルの繰り返し回数とデータチャネルの繰り返し回数について予め合意していてもよいとともに、
制御チャネルの送信開始時刻とデータチャネルの送信開始時刻との間の事前設定されたＴＴＩの数について合意していてもよく、ここで、事前設定されたＴＴＩの数は、制御チャネルの繰り返し回数以上である。
【００６８】
このステップでは、送信端は、受信端と予め合意された制御チャネルの繰り返し回数及びデータチャネルの繰り返し回数を直接的に取得することができる。制御チャネル及びデータチャネルを送信する前に、送信端は、受信端に通知メッセージを送信する。
【００６９】
legacyタイミングは、制御チャネルの送信開始時刻に関して引き続き使用される。アップリンクを一例として使用すると、制御チャネルの送信開始時刻は、ダウンリンクＤＰＣＣＨの後の１０２４chipsである。データチャネルの送信開始時刻は、事前設定されたＴＴＩの数と制御チャネルの送信開始時刻とに従って算出される。
【００７０】
ステップ４０２：送信端が、制御チャネルの送信開始時刻に、制御チャネルの事前設定された送信電力及び制御チャネルの繰り返し回数に従って制御チャネルを送信する。
【００７１】
制御チャネル及びデータチャネルは、１つのＴＴＩ内で送信端によって１回送信される。このステップでは、送信端は、制御チャネルの事前設定された送信電力に従って、制御チャネルの繰り返し回数のＴＴＩ内で、制御チャネルを受信端に別々に送信する。
【００７２】
送信端は、制御チャネルの送信開始時刻に、データチャネルの事前設定された送信電力及びデータチャネルの繰り返し回数に従って別のデータチャネルを送信する。別のデータチャネルに対応する制御チャネルの送信は、送信開始時刻よりも前に完了する。
【００７３】
例えば、ＵＥの事前設定された送信電力は５であり、予め制御チャネルに割り当てられている事前設定された送信電力は２であり、データチャネルに割り当てられている事前設定された送信電力は３である、と仮定される。ステップ４０１において、それぞれ、制御チャネルの繰り返し回数が８、送信開始時刻がｔ１に設定されるとともに、それぞれ、データチャネルの繰り返し回数が８、送信開始時刻がｔ２に設定される、と仮定される。この場合、送信開始時刻ｔ２と送信開始時刻ｔ１との時間差は、８つのＴＴＩ以上である。図４−２を参照すると、送信開始時刻ｔ１において、制御チャネルの事前設定された送信電力２、及び制御チャネルの繰り返し回数８に従って、制御チャネル１が８つのＴＴＩ内で別々に送信される。送信開始時刻ｔ１において、データチャネルの事前設定された送信電力３、及びデータチャネルの繰り返し回数８に従って、別の制御チャネルに対応するデータチャネル２が、８つのＴＴＩ内で別々に送信される。
【００７４】
ステップ４０３：データチャネルの送信開始時刻に、データチャネルの繰り返し回数及びデータチャネルの事前設定された送信電力に従ってデータチャネルを送信する。
【００７５】
さらに、データチャネルの送信開始時刻に、別のデータチャネルに対応する制御チャネルが、同様に、制御チャネルの繰り返し回数及び制御チャネルの事前設定された送信電力に従って送信されてもよい。
【００７６】
例えば、データチャネルの繰り返し回数は８であり、図４−２を参照すると、データチャネルの送信開始時刻ｔ２において、データチャネルは、データチャネルの繰り返し回数８、及びデータチャネルの事前設定された送信電力３に従って、８つのＴＴＩ内で別々に送信される。データチャネルの送信開始時刻ｔ２において、別のデータチャネルに対応する制御チャネルは、同様に、制御チャネルの繰り返し回数８、及び制御チャネルの事前設定された送信電力２に従って、８つのＴＴＩ内で別々に送信されてもよい。
【００７７】
ステップ４０４：受信端が、制御チャネルの繰り返し回数と受信開始時刻、及びデータチャネルの繰り返し回数と受信開始時刻を取得し、ここで、制御チャネルの繰り返し回数はデータチャネルの繰り返し回数よりも少ないか、又は制御チャネルの受信開始時刻はデータチャンネルの受信開始時刻に等しい。
【００７８】
送信端と受信端は、制御チャネルの繰り返し回数とデータチャネルの繰り返し回数について予め合意していてもよい。したがって、受信端は、送信端と行われた合意に従って、制御チャネルの繰り返し回数及びデータチャネルの繰り返し回数を取得することができる。
【００７９】
legacyタイミングは、制御チャネルの受信開始時刻に関して引き続き使用される。アップリンクを一例として使用すると、受信端は、アップリンクの送信開始時刻を制御チャネルの受信開始時刻として使用するとともに、事前設定されたＴＴＩの数と制御チャネルの送信開始時刻とに従ってデータチャネルの送信開始時刻を算出するか、又は依然として受信状態にあり、制御チャネル及びデータチャネルをいつでも受信することができる。
【００８０】
ステップ４０５：受信端が、制御チャネルの繰り返し回数及び送信開始時刻に従って制御チャネルを受信するとともに、データチャネルの繰り返し回数及び送信開始時刻に従ってデータチャネルを受信する。
【００８１】
本発明のこの実施例では、制御チャネルの送信開始時刻がデータチャネルの送信開始時刻よりも早く、制御チャネルの送信開始時刻とデータチャネルの送信開始時刻との間の時間差が、制御チャネルの繰り返し回数のＴＴＩ以上であるので、データチャネルが送信される前に制御チャネルが送信されるとともに、データチャネルは、制御チャネルが完全に送信された後で送信される。この方法では、受信端は、まず、制御チャネルで搬送される制御情報を取得するために制御チャネルを復調し、その結果、データチャネルが復調されたときに、制御チャネルで搬送された制御情報が復調により既に得られており、それにより、データチャネル復調の遅延の問題を解決する。
【００８２】
実施例５
図５を参照すると、本発明のこの実施例は、下記のステップを含むチャネル受信方法を提供する。
【００８３】
ステップ５０１：受信端が、制御チャネルの繰り返し回数と受信開始時刻、及びデータチャネルの繰り返し回数と受信開始時刻を取得し、ここで、制御チャネルの繰り返し回数はデータチャネルの繰り返し回数よりも少ないか、又は制御チャネルの受信開始時刻はデータチャネルの受信開始時刻よりも早い。
【００８４】
ステップ５０２：制御チャネルの繰り返し回数及び受信開始時刻に従って制御チャネルを受信するとともに、データチャネルの繰り返し回数及び受信開始時刻に従ってデータチャネルを受信する。
【００８５】
本発明のこの実施例では、制御チャネルの繰り返し回数がデータチャネルの繰り返し回数よりも少ないか、又は制御チャネルの送信開始時刻がデータチャネルの送信開始時刻に等しいので、データチャネルが完全に送信される前に制御チャネルが完全に送信されることができ、受信端は、最初に制御チャネルの受信を完了し、そして最初に制御チャネルを復調することができる。データチャネルが復調されるときに制御情報は復調によって既に取得されており、制御チャネルの復調を待つ必要がなく、データチャネルの復調が直接的に実行され、それにより、データチャネル復調の遅延の問題を解決する。さらに、制御チャネルが完全に送信された後で、ＵＥの事前設定された送信電力に従ってデータチャネルが送信され、その結果データチャネルの繰り返し回数を削減し、それにより送信電力を削減する。
【００８６】
実施例６
図６を参照すると、本発明のこの実施例は、制御チャネルの繰り返し回数と送信開始時刻、及びデータチャネルの繰り返し回数と送信開始時刻を別々に設定するように構成される設定モジュール６０１であって、制御チャネルの繰り返し回数がデータチャネルの繰り返し回数よりも少ないか、又は制御チャネルの送信開始時刻がデータチャネルの送信開始時刻よりも早い、設定モジュール６０１と、制御チャネルの繰り返し回数及び送信開始時刻に従って制御チャネルを送信するとともに、データチャネルの繰り返し回数及び送信開始時刻に従ってデータチャネルを送信するように構成される送信モジュール６０２とを含む、チャネル送信装置を提供する。
【００８７】
制御チャネルの繰り返し回数はデータチャネルの繰り返し回数よりも少ないとともに、制御チャネルの送信開始時刻はデータチャネルの送信開始時刻に等しい。
【００８８】
設定モジュール６０１は、制御チャネルの送信開始時刻に、制御チャネルの事前設定された送信電力及び制御チャネルの繰り返し回数に従って制御チャネルを送信するとともに、データチャネルの事前設定された送信電力及び制御チャネルの繰り返し回数に従ってデータチャネルを送信するように構成される。
【００８９】
さらに、設定モジュール６０１は、制御チャネルを完全に送信した後で、データチャネルの残りの繰り返し回数及びデータチャネルの事前設定された送信電力に従ってデータチャネルを送信し、データチャネルの残りの繰り返し回数がデータチャネルの繰り返し回数と制御チャネルの繰り返し回数との間の差分値に等しいか、又は制御チャネルを完全に送信した後で、データチャネルの残りの繰り返し回数及びユーザ装置ＵＥの事前設定された送信電力に従ってデータチャネルを送信し、ＵＥの事前設定された送信電力がデータチャネルの事前設定された送信電力と制御チャネルの事前設定された送信電力との和に等しい、ように更に構成される。
【００９０】
制御チャネルの送信開始時刻は、データチャネルの送信開始時刻よりも早い。
【００９１】
送信モジュール６０２は、制御チャネルの送信開始時刻に、制御チャネルの事前設定された送信電力及び制御チャネルの繰り返し回数に従って制御チャネルを送信するとともに、データチャネルの送信開始時刻に、データチャネルの事前設定された送信電力及びデータチャネルの繰り返し回数に従ってデータチャネルを送信するように構成される。
【００９２】
制御チャネルの送信開始時刻とデータチャネルの送信開始時刻との間の時間差は、制御チャネルの送信時間間隔繰り返し回数のＴＴＩ以上である。
【００９３】
制御チャネルの送信開始時刻は、データチャネルの送信開始時刻よりも早く、制御チャネルの送信開始時刻とデータチャネルの送信開始時刻との間の時間差は、制御チャネルの送信時間間隔繰り返し回数のＴＴＩ以上である。
【００９４】
任意に、送信モジュール６０２は、制御チャネルの送信開始時刻に、ＵＥの事前設定された送信電力及び制御チャネルの繰り返し回数に従って制御チャネルを送信するとともに、データチャネルの送信開始時刻に、ＵＥの事前設定された送信電力及びデータチャネルの繰り返し回数に従ってデータチャネルを送信するように構成される。
【００９５】
本発明のこの実施例では、制御チャネルの繰り返し回数がデータチャネルの繰り返し回数よりも少ないか、又は制御チャネルの送信開始時刻がデータチャネルの送信開始時刻に等しいので、データチャネルが完全に送信される前に制御チャネルが完全に送信されることができ、受信端は、最初に制御チャネルの受信を完了し、そして最初に制御チャネルを復調することができる。データチャネルが復調されるときに制御情報は復調によって既に取得されており、制御チャネルの復調を待つ必要がなく、データチャネルの復調が直接的に実行され、それにより、データチャネル復調の遅延の問題を解決する。さらに、制御チャネルが完全に送信された後で、ＵＥの事前設定された送信電力に従ってデータチャネルが送信され、その結果データチャネルの繰り返し回数を削減し、それにより送信電力を削減する。
【００９６】
実施例７
図７を参照すると、本発明のこの実施例は、制御チャネルの繰り返し回数と受信開始時刻、及びデータチャネルの繰り返し回数と受信開始時刻を取得するように構成される取得モジュール７０１であって、制御チャネルの繰り返し回数がデータチャネルの繰り返し回数よりも少ないか、又は制御チャネルの受信開始時刻がデータチャネルの受信開始時刻よりも早い、取得モジュール７０１と、制御チャネルの繰り返し回数及び受信開始時刻に従って制御チャネルを受信するとともに、データチャネルの繰り返し回数及び受信開始時刻に従ってデータチャネルを受信するように構成される受信モジュールとを含む、チャネル受信装置を提供する。
【００９７】
制御チャネルの受信開始時刻とデータチャネルの受信開始時刻との間の時間差は、制御チャネルの送信時間間隔繰り返し回数のＴＴＩ以上である。
【００９８】
実施例８
図８を参照すると、本発明のこの実施例は、制御チャネルの繰り返し回数と送信開始時刻、及びデータチャネルの繰り返し回数と送信開始時刻を別々に設定するように構成されるプロセッサ８０１であって、制御チャネルの繰り返し回数がデータチャネルの繰り返し回数よりも少ないか、又は制御チャネルの送信開始時刻がデータチャネルの送信開始時刻よりも早い、プロセッサ８０１と、制御チャネルの繰り返し回数及び送信開始時刻に従って制御チャネルを送信するとともに、データチャネルの繰り返し回数及び送信開始時刻に従ってデータチャネルを送信するように構成される送信機８０２とを含む、送信端を提供する。
【００９９】
制御チャネルの繰り返し回数はデータチャネルの繰り返し回数よりも少ないとともに、制御チャネルの送信開始時刻はデータチャネルの送信開始時刻に等しい。
【０１００】
送信機８０２は、制御チャネルの送信開始時刻に、制御チャネルの事前設定された送信電力及び制御チャネルの繰り返し回数に従って制御チャネルを送信するとともに、データチャネルの事前設定された送信電力及び制御チャネルの繰り返し回数に従ってデータチャネルを送信するように構成される。
【０１０１】
さらに、送信機８０２は、制御チャネルを完全に送信した後で、データチャネルの残りの繰り返し回数及びデータチャネルの事前設定された送信電力に従ってデータチャネルを送信し、データチャネルの残りの繰り返し回数がデータチャネルの繰り返し回数と制御チャネルの繰り返し回数との間の差分値に等しい、ように更に構成されるか、又は送信機８０２は、制御チャネルを完全に送信した後で、データチャネルの残りの繰り返し回数及びユーザ装置ＵＥの事前設定された送信電力に従ってデータチャネルを送信し、ＵＥの事前設定された送信電力がデータチャネルの事前設定された送信電力と制御チャネルの事前設定された送信電力との和に等しい、ように更に構成される。
【０１０２】
制御チャネルの送信開始時刻は、データチャネルの送信開始時刻よりも早い。
【０１０３】
送信機８０２は、制御チャネルの送信開始時刻に、制御チャネルの事前設定された送信電力及び制御チャネルの繰り返し回数に従って制御チャネルを送信するとともに、データチャネルの送信開始時刻に、データチャネルの事前設定された送信電力及びデータチャネルの繰り返し回数に従ってデータチャネルを送信するように構成される。
【０１０４】
制御チャネルの送信開始時刻とデータチャネルの送信開始時刻との間の時間差は、制御チャネルの送信時間間隔繰り返し回数のＴＴＩ以上である。
【０１０５】
制御チャネルの送信開始時刻は、データチャネルの送信開始時刻よりも早く、制御チャネルの送信開始時刻とデータチャネルの送信開始時刻との間の時間差は、制御チャネルの送信時間間隔繰り返し回数のＴＴＩ以上である。
【０１０６】
送信機８０２は、制御チャネルの送信開始時刻に、ユーザ装置ＵＥの事前設定された送信電力及び制御チャネルの繰り返し回数に従って制御チャネルを送信するとともに、データチャネルの送信開始時刻に、ＵＥの事前設定された送信電力及びデータチャネルの繰り返し回数に従ってデータチャネルを送信するように構成される。
【０１０７】
本発明のこの実施例では、制御チャネルの繰り返し回数がデータチャネルの繰り返し回数よりも少ないか、又は制御チャネルの送信開始時刻がデータチャネルの送信開始時刻に等しいので、データチャネルが完全に送信される前に制御チャネルが完全に送信されることができ、受信端は、最初に制御チャネルの受信を完了し、そして最初に制御チャネルを復調することができる。データチャネルが復調されるときに制御情報は復調によって既に取得されており、制御チャネルの復調を待つ必要がなく、データチャネルの復調が直接的に実行され、それにより、データチャネル復調の遅延の問題を解決する。さらに、制御チャネルが完全に送信された後で、ＵＥの事前設定された送信電力に従ってデータチャネルが送信され、その結果データチャネルの繰り返し回数を削減し、それにより送信電力を削減する。
【０１０８】
実施例９
図９を参照すると、本発明のこの実施例は、制御チャネルの繰り返し回数と受信開始時刻、及びデータチャネルの繰り返し回数と受信開始時刻を取得するように構成されるプロセッサ９０１であって、制御チャネルの繰り返し回数がデータチャネルの繰り返し回数よりも少ないか、又は制御チャネルの受信開始時刻がデータチャネルの受信開始時刻よりも早い、プロセッサ９０１と、制御チャネルの繰り返し回数及び受信開始時刻に従って制御チャネルを受信するとともに、データチャネルの繰り返し回数及び受信開始時刻に従ってデータチャネルを受信するように構成される受信機９０２とを含む、受信端を提供する。
【０１０９】
制御チャネルの受信開始時刻とデータチャネルの受信開始時刻との間の時間差は、制御チャネルの送信時間間隔繰り返し回数のＴＴＩ以上である。
【０１１０】
当業者は、実施例のステップの全て若しくは一部が、ハードウェア、又は関連するハードウェアを指示するプログラムによって実施され得る、ということを理解することができる。プログラムはコンピュータ読み取り可能な記憶媒体に記憶され得る。記憶媒体は、読み出し専用メモリ、磁気ディスク、又は光ディスクを含むことができる。
【０１１１】
前述の説明は、単に本発明の実例の実施例に過ぎず、本発明を限定することを意図していない。本発明の原理からはずれずに実行される、あらゆる修正、等価な置換、及び改善は、本発明の保護範囲に含まれるものとする。
【図１】
0006461362.tif 000002
【図２−１】
0006461362.tif 000003
【図２−２】
0006461362.tif 000004
【図２−３】
0006461362.tif 000005
【図３−１】
0006461362.tif 000006
【図３−２】
0006461362.tif 000007
【図３−３】
0006461362.tif 000008
【図４−１】
0006461362.tif 000009
【図４−２】
0006461362.tif 000010
【図５】
0006461362.tif 000011
【図６】
0006461362.tif 000012
【図７】
0006461362.tif 000013
【図８】
0006461362.tif 000014
【図９】
0006461362.tif 000015